(57)【特許請求の範囲】
【請求項１】
計時部と、この計時部で計時された情報を表示する計時情報表示部とを有するムーブメントと、前記ムーブメントを収容する外装ケースとを備え、
前記外装ケースは、前記ムーブメントが挿入される開口を有する胴部と前記胴部において前記開口の反対側をなす底部とが一体に形成されたワンピース胴と、前記開口に設けられるカバーガラスと、前記カバーガラスの周縁を保持する縁部材とを有して構成され、
前記ムーブメントは、前記縁部材に取付けられ、
前記ムーブメントには、当該ムーブメントの内部から外側に突出するとともに前記ワンピース胴の内側に納められる巻真が設けられ、
前記ワンピース胴には、前記巻真に連結されるりゅうずが設けられ、
前記りゅうずは、前記ワンピース胴の内部と外部とに亘って設けられ前記巻真の軸周りに回転されて当該巻真に螺合されるりゅうず本体を有し、
前記りゅうず本体は、前記巻真の当該りゅうず本体側の端部に対して前記外装ケースの外部から係合可能に構成され、前記巻真への係合により、前記巻真を当該りゅうず本体に対して回転可能に構成されている
ことを特徴とする時計。
【請求項２】
計時部と、この計時部で計時された情報を表示する計時情報表示部とを有するムーブメントと、前記ムーブメントを収容する外装ケースとを備え、
前記外装ケースは、前記ムーブメントが挿入される開口を有する胴部と前記胴部において前記開口の反対側をなす底部とが一体に形成されたワンピース胴と、前記開口に設けられるカバーガラスと、前記カバーガラスの周縁を保持する縁部材とを有して構成され、
前記ムーブメントは、前記縁部材に取付けられ、
前記ムーブメントには、当該ムーブメントの内部から外側に突出するとともに前記ワンピース胴の内側に納められる巻真が設けられ、
前記ワンピース胴には、前記巻真に連結されるりゅうずが設けられ、
前記りゅうずは、前記ワンピース胴の内部と外部とに亘って設けられ前記巻真の軸周りに回転されて当該巻真に螺合されるりゅうず本体と、前記りゅうず本体を前記巻真の軸方向に沿って貫通する軸部材とを有し、
前記軸部材は、前記巻真の端部に係合可能な係合部を有し、この係合部により前記巻真を前記りゅうず本体に対して回転可能に構成されている
ことを特徴とする時計。
【請求項３】
請求項１または請求項２に記載の時計において、
前記ムーブメントは、駆動源としての電池を前記縁部材とは反対側となる裏面側に有する
ことを特徴とする時計。
【請求項４】
請求項１から請求項３のいずれかに記載の時計において、
前記ムーブメントの周りに沿って設けられる中枠と、
前記中枠と前記ワンピース胴の内周面との間に配置されて前記ムーブメントを前記中枠を介して前記縁部材に固定する固定部材とを備える
ことを特徴とする時計。
【請求項５】
請求項４に記載の時計において、
前記固定部材は、前記縁部材の内周側に設けられる見切りを介して前記縁部材に固定されている
ことを特徴とする時計。
【請求項６】
請求項４または請求項５に記載の時計において、
前記固定部材は、略円環状とされ、径方向における複数箇所で等間隔に前記縁部材または前記見切りに対してネジにより固定されており、
前記固定部材の一部には、前記巻真が配置されるとともに、前記ネジのうち互いに隣接するネジが前記固定部材の円中心に対してなす角度に応じて設けられる切欠が形成されている
ことを特徴とする時計。
【発明の詳細な説明】
【技術分野】
【０００１】
本発明は、ワンピース構造の時計に関する。
【背景技術】
【０００２】
従来、時計の外装ケースに関し、胴部と裏蓋とを備える通常の構造ではなく、図８に示すように、裏蓋が無く、胴部９１と底部９２とが一体形成されたワンピース胴９０を備える構造が知られている（特許文献１も参照）。なお、９５１は巻真、９３はりゅうずである。このようなワンピース構造の時計は裏蓋を備えていないため、分解する際には、カバーガラス９４１、縁部材９４２など、時計の表側に設けられる部材をワンピース胴９０から取り外すことになり、ワンピース胴９０に収容された状態においてムーブメント９５の表側が露出する。そして、このムーブメント９５の裏側に配置された電池９６を交換する際には、中枠９５０などを介してワンピース胴９０の内部に固定されたムーブメント９５をワンピース胴９０から取り外す必要があり、電池交換がしずらかった。このような理由により、ワンピース構造の時計には、機械的動力源やソーラー発電部などを有する電池交換不要のムーブメントを使用するのが通常であった。
【０００３】
【特許文献１】特開平８−１６６４７２号公報（図３）
【発明の開示】
【発明が解決しようとする課題】
【０００４】
前述のように、ワンピース構造の時計では、まず縁部材をワンピース胴から取り外し、さらにムーブメントをワンピース胴から取り外すことにより、時計を完全に分解しなければムーブメントの裏側を外部に露出させることができない。すなわち、電池交換をはじめとする時計のメンテナンス時における作業が煩雑であった。このため、ワンピース構造の時計の場合、電池交換が必要となるムーブメントを採用できないという制約が生じていた。
【０００５】
本発明の目的は、メンテナンスが容易なワンピース構造の時計を提供することにある。
【課題を解決するための手段】
【０００６】
本発明の時計は、計時部と、この計時部で計時された情報を表示する計時情報表示部とを有するムーブメントと、前記ムーブメントを収容する外装ケースとを備え、前記外装ケースは、前記ムーブメントが挿入される開口を有する胴部と前記胴部において前記開口の反対側をなす底部とが一体に形成されたワンピース胴と、前記開口に設けられるカバーガラスと、前記カバーガラスの周縁を保持する縁部材とを有して構成され、前記ムーブメントは、前記縁部材に取付けられ、前記ムーブメントには、当該ムーブメントの内部から外側に突出するとともに前記ワンピース胴の内側に納められる巻真が設けられ、前記ワンピース胴には、前記巻真に連結されるりゅうずが設けられ、前記りゅうずは、前記ワンピース胴の内部と外部とに亘って設けられ前記巻真の軸周りに回転されて当該巻真に螺合されるりゅうず本体を有し、前記りゅうず本体は、前記巻真の当該りゅうず本体側の端部に対して前記外装ケースの外部から係合可能に構成され、前記巻真への係合により、前記巻真を当該りゅうず本体に対して回転可能に構成されていることを特徴とする。
第２の発明の時計は、計時部と、この計時部で計時された情報を表示する計時情報表示部とを有するムーブメントと、前記ムーブメントを収容する外装ケースとを備え、前記外装ケースは、前記ムーブメントが挿入される開口を有する胴部と前記胴部において前記開口の反対側をなす底部とが一体に形成されたワンピース胴と、前記開口に設けられるカバーガラスと、前記カバーガラスの周縁を保持する縁部材とを有して構成され、前記ムーブメントは、前記縁部材に取付けられ、前記ムーブメントには、当該ムーブメントの内部から外側に突出するとともに前記ワンピース胴の内側に納められる巻真が設けられ、前記ワンピース胴には、前記巻真に連結されるりゅうずが設けられ、前記りゅうずは、前記ワンピース胴の内部と外部とに亘って設けられ前記巻真の軸周りに回転されて当該巻真に螺合されるりゅうず本体と、前記りゅうず本体を前記巻真の軸方向に沿って貫通する軸部材とを有し、前記軸部材は、前記巻真の端部に係合可能な係合部を有し、この係合部により前記巻真を前記りゅうず本体に対して回転可能に構成されていることを特徴とする。
【０００７】
これらの発明によれば、縁部材をムーブメントから取り外した際に縁部材に取付けられたムーブメントの裏面側および側面側が外部に露出し、このように露出したムーブメントの裏面側や側面側に触ることが可能となるので、メンテナンスがきわめて容易となる。すなわち、ワンピース構造におけるメンテナンス性を大きく向上させることができる。
【０００８】
本発明の時計では、前記ムーブメントは、駆動源としての電池を前記縁部材とは反対側となる裏面側に有することが好ましい。
【０００９】
この発明によれば、ムーブメント裏側に設けられた電池の交換が必要とされ、メンテナンス頻度が高いムーブメント構成であることにより、前述のメンテナンスが容易であるという効果をより大きくできる。
【００１０】
本発明の時計では、前記ムーブメントの周りに沿って設けられる中枠と、前記中枠と前記ワンピース胴の内周面との間に配置されて前記ムーブメントを前記中枠を介して前記縁部材に固定する固定部材とを備えることが好ましい。
【００１１】
この発明によれば、時計のモデル間における外装ケースの寸法、形状の相違などに対応してムーブメントの周りに設けられる中枠に加えて、この中枠に設けられる固定板が付加されることにより、これら中枠および固定部材を介してムーブメントを縁部材に容易に取付けできる。
なお、ムーブメントおよびワンピース胴の平面形状はそれぞれ、円形、四角形、多角形、トノー型など任意であり、これらムーブメントおよび外装ケースの形状に応じて、中枠および固定部材の形状も円形、四角形、多角形、トノー型など任意の形状とされる。
また、縁部材に直接ムーブメントが取り付けられる場合では、ワンピース胴の開口と縁部材との間に防水性確保のためのパッキンを配置することが難しくなったり、パッキンの形状をムーブメントの側面に沿って立ち上がる立体形状などとすることが必要となって構成が複雑化してしまうが、本発明のように固定板が付加されることにより、縁部材にムーブメントを取付ける際の困難性を解消することができる。
さらに、この固定部材を耐磁性材料で形成すれば、電池、ステッピングモータのコイル、電波時計のアンテナなどに関して耐磁性を獲得できるので、ワンピース胴を耐磁性材料とする必要がなくなり、コストダウンできる。
なお、中枠と固定部材とが一体形成されていてもよい。
【００１２】
本発明の時計では、前記固定部材は、前記縁部材の内周側に設けられる見切りを介して前記縁部材に固定されていることが好ましい。
【００１３】
この発明によれば、見切りは縁部材の内周側に設けられているため、この見切りを介して縁部材に固定板が取付けられることにより、縁部材とワンピース胴との係合部に固定部材が干渉することなく、固定部材を縁部材に容易に取付けることができる。
【００１４】
本発明の時計では、前記固定部材は、略円環状とされ、径方向における複数箇所で等間隔に前記縁部材または前記見切りに対してネジにより固定されており、前記固定部材の一部には、前記巻真が配置されるとともに、前記ネジのうち互いに隣接するネジが前記固定部材の円中心に対してなす角度に応じて設けられる切欠が形成されていることが好ましい。
【００１５】
この発明によれば、固定板を縁部材にネジで固定する際、縁部材または見切りと固定部材との一方を他方に対して周回方向に回転させて、固定板の孔と縁部材または見切りのネジ穴とを位置合わせする必要があるが、この際、巻真が配置されネジ穴が配置されない部分が、切欠によりネジ間隔に応じて開放され、固定板の切欠から縁部材（または見切り）のネジ穴が露出した時点でねじ穴位置のズレ量を迅速に把握できるので、固定部材および縁部材（または見切り）を相互に回転させる角度を小さくできる。これにより、生産性が向上する。
【００１６】
第１の発明の時計では、前記ムーブメントには、当該ムーブメントの内部から外側に突出するとともに前記ワンピース胴の内側に納められる巻真が設けられ、前記ワンピース胴には、前記巻真に連結されるりゅうずが設けられ、前記りゅうずは、前記ワンピース胴の内部と外部とに亘って設けられ前記巻真の軸周りに回転されて当該巻真に螺合されるりゅうず本体を有し、前記りゅうず本体は、前記巻真の当該りゅうず本体側の端部に対して前記外装ケースの外部から係合可能に構成され、前記巻真への係合により、前記巻真を当該りゅうず本体に対して回転可能に構成されている。
【００１７】
この発明によれば、りゅうず本体と巻真とが螺合され、外装ケースの外側から適当な冶具を巻真の端部に係合し、この冶具により、りゅうず本体と巻真とが螺合された際の回転方向とは逆方向に巻真をりゅうず本体に対して回転させることにより、巻真からりゅうず本体が外れるので、りゅうず本体をワンピース胴から取り外すことができる。このようにりゅうずと巻真とをワンピース胴の外側から分解可能であるため、りゅうずをワンピース胴から取り外せば、あとは縁部材に取付けられたムーブメントと、ワンピース胴とに時計を容易に分解できる。
すなわち、ワンピース構造の時計において、ワンピース胴の外側からりゅうずと巻真とが分解可能とされていることと、ムーブメントが縁部材に取り付けられていることとによって、時計の分解がきわめて容易となり、メンテナンス性をより一層向上させることができる。
なお、巻真はワンピース胴の内側に納まっているため、ワンピース胴と縁部材に取付けられたムーブメントとを分離する際、巻真がワンピース胴に干渉しない。
【００１８】
このように、りゅうず本体と巻真とを分解することで時計の分解が可能となるので、従来用いられていたおしどりレバーやおしどりを押すボタン等を不要にできる。このため、外装ケースがワンピース構造の場合はおしどりレバーを設け、ワンピース以外の構造の場合はおしどりを押すボタンを設けるなど、外装ケースの構造に応じてムーブメントを違う構成とする必要がなくなり、外装ケースの構造に関わらずムーブメントを共通化できる。
【００１９】
また、外装ケースの開口端部近傍に配置されていたおしどりレバーが不要となることから、文字板のサイズを大きくできる。
さらに、裏蓋に設けられていたおしどりを押すためのボタンなどが不要となり、このボタンの押圧操作に係る破損や、ボタンへの汚れの付着などが生じなくなる。
【００２０】
なお、巻真およびりゅうず本体に形成されるネジの構成は任意であるが、例えば、巻真の外周に形成された雄ネジに対して、りゅうず本体に形成された雌ネジが螺合する構成とできる。また、ワンピース胴の外部から係合可能な巻真の端部の構成は、りゅうず本体に対して巻真の回り止めが図られる限り任意であるが、このような構成として、例えば、二面幅、多角形状などの凸部と溝との係合を例示できる。
そして、りゅうず本体に、巻真の端部をワンピース胴の外部に連絡する開口が形成されている場合、この開口は、蓋部材によって覆われることが好ましい。
【００２１】
第２の発明の時計では、前記ムーブメントには、当該ムーブメントの内部から外側に突出するとともに前記ワンピース胴の内側に納められる巻真が設けられ、前記ワンピース胴には、前記巻真に連結されるりゅうずが設けられ、前記りゅうずは、前記ワンピース胴の内部と外部とに亘って設けられ前記巻真の軸周りに回転されて当該巻真に螺合されるりゅうず本体と、前記りゅうず本体を前記巻真の軸方向に沿って貫通する軸部材とを有し、前記軸部材は、前記巻真の端部に係合可能な係合部を有し、この係合部により前記巻真を前記りゅうず本体に対して回転可能に構成されている。
【００２２】
この発明によれば、りゅうずが軸部材を備え、軸部材をりゅうず本体に対して回転させることにより、前記の発明と略同様の効果を奏するほか、ワンピース胴の外側から冶具などによりワンピース胴内部にある巻真の端部を探ることが不要となるから、取扱性を向上させることができる。
また、軸部材がりゅうず本体を貫通する構成であり、りゅうず本体には、軸部材が挿通される孔などが形成されるが、この孔は軸部材により閉塞することが可能であるため、外装ケースの防水性を確保できる。
【発明の効果】
【００２３】
本発明によれば、メンテナンスが容易なワンピース構造の時計を提供することができる。
【発明を実施するための最良の形態】
【００２４】
以下、本発明の実施形態について図面を参照して説明する。なお、以降の説明において、既に説明した構成と略同様の構成については、同じ符号を付して説明を省略または簡略する。
〔１．時計の全体構成〕
図１は、本実施形態の時計１の側断面図を示す。時計１は、計時部としてのムーブメント１０と、ムーブメント１０を収容する外装ケース２０とを備える。ムーブメント１０の表側には、計時情報表示部として文字板１１および指針１２が設けられるとともに、ムーブメント１０の裏側には、駆動源として電池１３が設けられている。時計１は、アナログ式またはデジタル式の電子時計であり、外装ケース２０の側面に設けられたりゅうず３０により、ムーブメント１０の巻真１４が操作される。
【００２５】
〔２．外装ケースの構成〕
外装ケース２０は、ワンピース胴２１と、ワンピース胴２１の開口２１０に設けられるカバーガラス２２と、カバーガラス２２の周りを保持する環状の縁部材２３とを備えている。
【００２６】
縁部材２３は、カバーガラス２２をパッキン２３１の介在により保持し、飾り縁（ベゼル）としても機能する。縁部材２３の内周には、雌ネジ部２３２が形成され、この雌ネジ部２３２に、文字板１１周りの見切り（ダイアルリング）１５がねじ込まれている。
また、縁部材２３の裏側には、ワンピース胴２１の開口に圧入される環状のリブ２３３が突設されている。このリブ２３３とワンピース胴２１の端部との間には、ゴム製のパッキン２３３Ａが介装される。また、リブ２３３の３時方向には、りゅうず１４を逃げる切欠２３３Ｂ（図２）が形成されている。
【００２７】
ワンピース胴２１は、樹脂製や金属製の非耐磁性材料により、ムーブメント１０が挿入される開口２１０を有する胴部２１１とこの胴部２１１において開口２１０の反対側をなす底部２１２とが一体形成されている。胴部２１１の側面には、りゅうず３０が挿通されるパイプ２１１Ａ（図６）が固着されている。
【００２８】
このワンピース胴２１の内周面とムーブメント１０との間には、略環状の中枠２１３が配置され、中枠２１３の外周部には、耐磁性材料により略環状に形成された固定部材としての固定板４０が固着されている。
固定板４０は、中枠２１３の外周から胴部２１１の内周面近傍まで延び、文字板１１裏面の数箇所に設けられた足１１１を支持する。この固定板４０および中枠２１３により、落下時などの耐衝撃性が高められている。
固定板４０の中枠２１３外周側の端部には、底部２１２に向かって突出するリブ４１が形成されている。
【００２９】
ここで、固定板４０の胴部２１１内周面側の端部４２は、縁部材２３に螺合された見切り１５に対して、径方向の複数箇所でネジ４２１によって固定されている。すなわち、この固定板４０の見切り１５への固定により、ムーブメント１０が縁部材２３に取付固定されている。
図２に、ワンピース胴２１が取り外された状態の時計１の裏側を示した。中枠２１３の一部は径方向に沿って切り欠きされており、この切欠２１３Ａに巻真１４が配置される。固定板４０は、周回方向において等間隔に４つ設けられるネジ４２１によって見切り１５に固定される。
【００３０】
なお、固定板４０において巻真１４が配置される部分には、固定板４０の円中心に対して隣り合うネジ４２１がなす角度と略同じ角度で切欠４３が形成されている。図２に示すように、縁部材２３にねじ込まれた見切り１５と固定板４０とを組み付ける際には、ムーブメント１０に巻真１４が設置されておらず、ネジ４２１が挿通される固定板４０の孔と見切り１５のネジ穴とを位置合わせする際に、固定板４０を周回方向に回転させて切欠４３から見切り１５のネジ穴を露出させることにより、固定板４０の見切り１５に対するズレ量を把握する。すなわち、切欠４３から見切り１５のネジ穴が露出した時点でズレ量を迅速に把握できるので、固定板４０を回転させる角度を小さくできる。これにより、位置決めピンなどを設けなくても組み立ての効率が向上する。この切欠４３の角度はネジ４２１の本数に応じて変わる。
【００３１】
ここで、時計１の組み立てについて、簡単に説明する。まず、縁部材２３に見切り１５をねじ込んで固定し、次に、文字板１１が既に取付けられたムーブメント１０を中枠２１３の中に取り付ける。さらに、中枠２１３に予め固着された固定板４０を前述の手順により、見切り１５にネジ４２１で固定することにより、ムーブメント１０が縁部材２３に取付けられる。このように固定板４０と縁部材２３とが組み付けられた後、ムーブメント１０に巻真１４を設置し、縁部材２３のリブ２３３をワンピース胴２１の開口２１０に挿入することにより、縁部材２３に保持されたムーブメント１０がワンピース胴２１に収容される。最後に、りゅうず３０をワンピース胴２１の外側からパイプ２１１Ａに挿入し、このりゅうず３０を巻真１４に連結することにより、時計１の組み立てが完了する。
【００３２】
〔３．りゅうずの構成〕
次に、りゅうず３０について図１、および図３〜図５を参照して説明する。ここで、りゅうず３０が連結される巻真１４の構成も併せて説明する。図３は、りゅうず３０および巻真１４の側断面図であり、図４は、りゅうず３０および巻真１４の分解図である。また、図５（Ａ）は、図３のVＡ矢視図であり、図５（Ｂ）は、図４のVＢ矢視図である。
りゅうず３０は、外装ケース２０（図１）の内部と外部とに亘って設けられ、外装ケース２０内部で巻真１４に連結される本体３１と、巻真１４の軸方向Ａに沿って本体３１を貫通する軸部材３２とを備える。
【００３３】
本体３１は、ワンピース胴２１の外側に突出する頭部３１１と、ワンピース胴２１側面のパイプ２１１Ａ（図６）に挿通されて巻真１４に連結される挿通部３１２とを有し、これらの頭部３１１および挿通部３１２には、巻真１４の軸方向Ａに沿って孔３１３が貫通形成されている。この孔３１３の内径に関し、孔３１３の内周面における段差部３１２Ａの形成により、頭部３１１側の径寸法が挿通部３１２側の径寸法よりも小さくなっている。また、挿通部３１２の巻真１４側の端部における内周面には、雌ネジ３１２Ｂが形成されている。
【００３４】
軸部材３２は、本体３１の孔３１３に挿通され、頭部３１１側の軸部材３２の端部には、二面幅とされた被係合部３２１（図５（Ａ））が軸方向Ａに沿って突設されている。この被係合部３２１の側面と孔３１３の内周面との間には、パッキン３２１Ａが設けられる。
また、被係合部３２１側とは反対側の軸部材３２の端部には、巻真１４の端部と係合する係合部としての溝３２２（図５（Ｂ））が形成されている。
さらに、軸部材３２の外周部には、巻真１４側から本体３１の段差部３１２Ａに係合する段差部３２３が形成されている。
【００３５】
巻真１４は、ムーブメント１０の内部からパイプ２１１Ａの近傍まで延びており、ムーブメント１０の外側に突出する巻真１４の端部には、二面幅の被係合部１４１が突設されている。この被係合部１４１が軸部材３２の溝３２２に係合される。また、巻真１４の端部外周には、雄ネジ１４２が形成され、この雄ネジ１４２に軸部材３２の雌ネジ３１２Ｂが螺合固定されることにより、巻真１４にりゅうず３０が連結される。
【００３６】
このようなりゅうず３０では、本体３１の頭部３１１をワンピース胴２１の外側に引き出してから回すことにより、巻真１４が回転する。この巻真１４の回転により、アナログ式の場合、ムーブメント１０内部の輪列が動いて時刻や暦などが調整される。また、デジタル式の場合、ムーブメント１０内部の回路部が動作して、時刻、暦の調整や各種設定の変更が行われる。
【００３７】
ここで、電池１３の交換などのために時計１を分解する際には、軸部材３２の被係合部３２１に図示しない冶具などを係合し、本体３１と巻真１４とが螺合された際の回転方向とは逆の方向に軸部材３２を本体３１に対して回す。すると、溝３２２と被係合部１４１との係合により、巻真１４が本体３１に対して回転し、巻真１４から本体３１が外れる。この際、軸部材３２の段差部３２３と本体３１の段差部３１２Ａとの係合により、軸部材３２が本体３１を伴って巻真１４から離れる方向に移動し、軸部材３２と本体３１とがパイプ２１１Ａから共に抜き取られることで、ワンピース胴２１からりゅうず３０が取り外される。このりゅうず３０の取り外しにより、ムーブメント１０に接続されワンピース胴２１の内部と外部とに亘って設けられた部材はなくなるので、ムーブメント１０とワンピース胴２１とを分解することが可能となる。
【００３８】
図６に、りゅうず３０がワンピース胴２１から取り外され、時計１がワンピース胴２１と、ムーブメント１０とに分解された状態を示した。本実施形態では、ムーブメント１０が縁部材２３に取り付けられているので、この縁部材２３をワンピース胴２１から取り外すことでムーブメント１０がワンピース胴２１から分離し、図２に示すように、電池１３が設けられたムーブメント１０の裏側が外部に露出する。
【００３９】
すなわち、ムーブメント１０とワンピース胴２１とに時計１を分解するに際して、従来のワンピース構造の時計のように、縁部材２３をワンピース胴２１から取り外した後、巻真１４をムーブメント１０内部から外してワンピース胴２１から抜き取り、さらに、ワンピース胴２１の内部からムーブメント１０を取り外すという煩雑な手順が不要であって、ムーブメント１０と、縁部材２３と、ワンピース胴２１とに時計１を完全に分解してしまうことが不要である。つまり、軸部材３２によってりゅうず３０をワンピース胴２１から取り外し、縁部材２３をワンピース胴２１から取り外すだけで、ムーブメント１０裏面側の電池１３を容易に交換できる。
【００４０】
〔４．本実施形態による効果〕
このような本実施形態によれば、次のような効果がある。
（１）時計１において、ムーブメント１０が縁部材２３に取付けられているため、縁部材２３をワンピース胴２１から取り外した際に縁部材２３に取付けられたムーブメント１０の裏面側が外部に露出し、このように露出したムーブメント１０の裏側や側面に触ることが可能となるので、ワンピース構造の時計１におけるメンテナンス性を大きく向上させることができる。
【００４１】
（２）特に、時計１は電子時計であり、ムーブメント１０の裏側に電池１３が設けられているが、ムーブメント１０の裏側を簡単に露出させることができるので、電池１３を容易に交換できる。このように時計１は電池１３の交換が必要な電子時計（クォーツ）であり、分解される頻度が高いことから、メンテナンスが容易であることの効果をより大きくできる。
すなわち、ワンピース構造であって電池１３を内蔵する時計１について、ムーブメント１０が縁部材２３に取り付けられる構成を最も好適に採用でき、電池交換可能なワンピース構造を実現できる。このワンピース構造では、胴部の開口よりも大きい裏蓋を備えないことにより、ケースの裏側にテーパを付けるなど、薄型のデザインとすることができる。
【００４２】
（３）ムーブメント１０は、ムーブメント１０の周りに設けられた中枠２１３に固着された固定板４０により、縁部材２３に取付けられており、このような固定板４０の付加により、ムーブメント１０を縁部材２３に容易に取付けできる。
また、縁部材２３に直接ムーブメント１０を取り付ける場合では、ワンピース胴２１の開口と縁部材２３との間に防水性確保のためのパッキンを配置することが難しかったり、パッキンの形状をムーブメント１０の側面に沿って立ち上がる立体形状などとすることが必要となって構成が複雑化してしまうが、本発明のように固定板４０が付加されることにより、縁部材２３にムーブメント１０を取付ける際の困難性を解消することができる。
さらに、この固定板４０は耐磁性材料で形成されているので、電池１３や、ムーブメント１０内部に設けられるステッピングモータのコイルなどに関して耐磁性を獲得でき、ワンピース胴２１を耐磁性材料とする必要がなくなる。これにより、コストダウンできる。
【００４３】
（４）固定板４０は、縁部材２３の内周側に設けられる見切り１５を介して、縁部材２３に取付けられているため、縁部材２３とワンピース胴２１との係合部（縁部材２３のリブ２３３など）に固定板４０が干渉することなく、固定板４０を縁部材２３に容易に取付けることができる。
【００４４】
（５）また、固定板４０および縁部材２３は略環状とされ、固定板４０と縁部材２３とを固定するネジ４２１の間隔に応じて固定板４０に切欠４３が形成されていることにより、ネジ４２１が挿通される固定板４０の孔と縁部材２３のネジ４２１穴との位置のズレ量を迅速に把握できる。これにより、組み立ての生産性が向上する。
【００４５】
（６）りゅうず３０に関し、巻真１４と本体３１とが螺合されるとともに、本体３１に形成された孔３１３を通じて、外装ケース２０の外側から巻真１４を本体３１に対して回転可能であるため、りゅうず３０をワンピース胴２１から取り外すことができ、巻真１４が設けられるムーブメント１０と外装ケース２０とに時計１を容易に分解できる。
すなわち、ワンピース構造の時計１において、ワンピース胴２１の外側からりゅうず３０と巻真１４とが分解可能とされていることと、ムーブメント１０が縁部材２３に取り付けられていることとによって、メンテナンス時における分解作業がきわめて容易となり、メンテナンス性をより一層向上させることができる。
【００４６】
（７）りゅうず３０と巻真１４とをワンピース胴２１の外側から分解可能であるため、従来のおしどりレバーやおしどりを押すボタン等を不要にできる。これにより、ワンピース構造の時計１でも、裏蓋および胴部を備えるワンピース以外の構造の時計でも、同じムーブメント１０を使用でき、ムーブメントの共通化によって、時計１のモデル展開を促進できる。
【００４７】
（８）また、ワンピース胴２１の開口２１０近傍に配置されていたおしどりレバーが不要となるので、文字板１１のサイズを大きくできる。
【００４８】
（９）さらに、りゅうず３０は、本体３１を貫通して巻真１４に係合する軸部材３２を備えるので、軸部材３２を回転させると、巻真１４が本体３１に対して回転し、巻真１４から本体３１が外れる。このように軸部材３２を備えたことから、ワンピース胴２１の外側から孔３１３を通じて巻真１４の端部を冶具などで探ることが不要となり、取扱性を向上させることができる。
【００４９】
（１０）軸部材３２およびパッキン３２１Ａによって孔３１３が閉塞されるので、パイプ２１１Ａを通じた入水が阻止され、外装ケース２０の内部を水密にできる。
【００５０】
（１１）また、軸部材３２の巻真１４とは反対側の端部には、被係合部３２１が形成されているため、この被係合部３２１に簡素な冶具を係合させ、軸部材３２を回転させることが可能となる。すなわち、りゅうず３０の取り外しに用いる冶具が簡素な汎用冶具で済み、本体３１を貫通して巻真１４の端部に係合する冶具のような特殊な専用冶具を不要にできる。
【００５１】
（１２）本体３１および軸部材３２には、互いに係合する段差部３１２Ａおよび段差部３２３がそれぞれ形成されているので、本体３１と軸部材３２とをワンピース胴２１から一体に抜き取ることができ、簡単に取り扱うことができる。
【００５２】
本発明は、前述の各実施形態に限定されるものではなく、以下に示すような変形をも含むものである。
【００５３】
図７は、本発明の変形例における時計のりゅうず５０を示す。りゅうず５０は、前記実施形態のりゅうず３０（図３）と略同様の本体３１を備えるが、本体３１の孔３１３には、前記実施形態のように軸部材３２が挿通されていない。このため、巻真１４端部の被係合部１４１が孔３１３を通じて外部に開放されている。なお、孔３１３には、ワンピース胴２１の内部を水密に保つキャップ５３が着脱可能に設けられている。
このような構成では、巻真１４の被係合部１４１に係合可能な図示しない冶具を用いる。この冶具により、巻真１４をりゅうず本体３１に対して回転させると、巻真１４と本体３１とが分解される。
本変形例によっても、前記実施形態で述べた効果と略同様の効果を奏する。
【００５４】
前記実施形態では、電池を備える電子時計のみを例示したが、これに限らず、本発明は、電池を内蔵しない機械時計や機械式電子時計、ソーラー発電式時計などにも適用でき、これにより、時計のメンテナンスを容易にできる。
【００５５】
以上、本発明を実施するための最良の構成について具体的に説明したが、本発明は、これに限定されるものではない。すなわち、本発明は、主に特定の実施形態に関して特に図示され、かつ、説明されているが、本発明の技術的思想および目的の範囲から逸脱することなく、以上述べた実施形態に対し、形状、材質、数量、その他の詳細な構成において、当業者が様々な変形および改良を加えることができるものである。
上記に開示した形状、材質などを限定した記載は、本発明の理解を容易にするために例示的に記載したものであり、本発明を限定するものではないから、それらの形状、材質などの限定の一部もしくは全部の限定を外した部材の名称での記載は、本発明に含まれるものである。
【図面の簡単な説明】
【００５６】
【図１】本発明の実施形態におけるワンピース構造の時計の側断面図。
【図２】前記実施形態の時計においてワンピース胴が取り外された状態を示す斜視図。
【図３】前記実施形態におけるりゅうずの側断面図。
【図４】前記実施形態におけるりゅうずを分解した側断面図。
【図５】（Ａ）は、図３におけるVＡ矢視図、（Ｂ）は、図４のVＢ矢視図。
【図６】前記実施形態における時計の分解を示す側断面図。
【図７】本発明の変形例における時計の側断面図。
【図８】従来例におけるワンピース構造の時計の側断面。
【符号の説明】
【００５７】
１・・・時計、１０・・・ムーブメント（計時部）、１１・・・文字板（計時情報表示部）、１２・・・指針（計時情報表示部）、１３・・・電池、１４・・・巻真、１５・・・見切り、２０・・・外装ケース、２１・・・ワンピース胴、３０，５０・・・りゅうず、３１・・・本体（りゅうず本体）、３２・・・軸部材、４０・・・固定板（固定部材）、４３・・・切欠、１４１・・・被係合部（巻真の端部）、１４２・・・雄ネジ、２１０・・・開口、２１１・・・胴部、２１２・・・底部、２１３・・・中枠、３１２Ｂ・・・雌ネジ、３１３・・・孔、３２２・・・溝（係合部）、４２１・・・ネジ、Ａ・・・軸方向。
【図１】
0004821402.tif 000002
【図２】
0004821402.tif 000003
【図３】
0004821402.tif 000004
【図４】
0004821402.tif 000005
【図５】
0004821402.tif 000006
【図６】
0004821402.tif 000007
【図７】
0004821402.tif 000008
【図８】
0004821402.tif 000009